【手続補正書】
【提出日】平成19年12月12日(2007.12.12)
【手続補正１】
【補正対象書類名】特許請求の範囲
【補正対象項目名】全文
【補正方法】変更
【補正の内容】
【特許請求の範囲】
【請求項１】
光学系により形成された被写体像より画像データを得るための撮像部と、
当該撮像装置の手ぶれを検出するための手ぶれ検出部と、
前記撮像素子の露光期間中における前記手ぶれ検出部から出力される時系列の手ぶれ検出信号から手ぶれ復元関数を算出するための手ぶれ復元関数算出部と、
前記手ぶれ復元関数算出部から出力される手ぶれ復元関数に基づいて手ぶれによる前記画像データの劣化を復元するための手ぶれ復元部と、
前記撮像部から得られた画像データであって上記手ぶれ復元部で手ぶれ復元処理を実行しない画像データと該画像データに対応した手ぶれ復元情報とを適用された記録媒体に併せて記録する第１の記録モードと、前記手ぶれ復元部により手ぶれ復元処理がなされた画像データを適用された記録媒体に記録する第２の記録モードとを選択するための記録モード選択部と、
前記記録モード選択部において選択された結果に応じて、第１の記録モードが選択された場合には第１の記録モードで適用された記録媒体に画像データの記録を行ない、第２の記録モードが選択された場合には第２の記録モードで適用された記録媒体に画像データの記録を行なうための画像記録コントローラと、
を具備する撮像装置。
【請求項２】
前記手ぶれ復元情報は前記時系列の手ぶれ検出信号である請求項１記載の撮像装置。
【請求項３】
前記手ぶれ復元情報は前記手ぶれ復元関数である請求項１記載の撮像装置。
【請求項４】
前記記録モード選択部は、さらに、前記手ぶれ復元部で手ぶれ復元処理を実行しない画像データを適用された記録媒体に記録し、該画像データに対応した手ぶれ復元情報を適用された記録媒体に記録しない第３の記録モードを選択することが可能であり、
前記画像記録コントローラは、さらに、第３の記録モードが選択された場合には、第３の記録モードで適用された記録媒体に画像データの記録を行なう請求項１乃至３記載の撮像装置。
【請求項５】
前記画像記録コントローラは、第１の記録モードが選択された時には、手ぶれ復元処理を実行しない画像データと該画像データに対応した手ぶれ復元情報とを１つの画像ファイルとして適用された記録媒体に記録し、該画像ファイルのデータ部に前記画像データを割り当て、該画像ファイルのヘッダ部に前記手ぶれ復元情報を割り当てる請求項１記載の撮像装置。
【請求項６】
前記撮像素子の露光期間中における前記手ぶれ検出部から出力される手ぶれ検出信号を記憶するための手ぶれ検出信号記憶部をさらに具備し、
前記手ぶれ画像復元関数算出部は、前記手ぶれ検出信号記憶部に記憶された前記時系列の手ぶれ検出信号から画像復元関数を算出する請求項１乃至５記載の撮像装置。
【請求項７】
光学系により形成された被写体像より画像データを得るための撮像部と、
当該撮像装置の手ぶれを検出するための手ぶれ検出部と、
前記撮像素子の露光期間中における前記手ぶれ検出部から出力される時系列の手ぶれ検出信号から手ぶれ復元関数を算出するための手ぶれ復元関数算出部と、
前記手ぶれ復元関数算出部から出力される手ぶれ復元関数に基づいて手ぶれによる前記画像データの劣化を復元するための手ぶれ復元部と、
前記撮像部から得られた画像データであって上記手ぶれ復元部で手ぶれ復元処理を実行しない画像データと該画像データに対応した手ぶれ復元情報とを適用された記録媒体に併せて記録する第１の記録モードと、前記手ぶれ復元部により手ぶれ復元処理がなされた画像データを適用された記録媒体に記録する第２の記録モードとを選択するための記録モード選択部と、
前記記録モード選択部において選択された結果に応じて、第１の記録モードが選択された場合には適用された記録媒体に第１の記録モードで画像データの記録を行ない、第２の記録モードが選択された場合には適用された記録媒体に第２の記録モードで画像データの記録を行なうための画像記録コントローラと、
適用された記録媒体に記録された画像ファイルを読み出すための読み出し部と、
前記読み出し部により読み出された画像ファイルに応じて、当該画像ファイルが上記第１の記録モードで記録された画像ファイルであるか否かを判定するための判定部と、
前記判定部により読み出された画像ファイルが第１の記録モードで記録された画像ファイルである場合には、この読み出された画像ファイルの中の画像データおよび手ぶれ復元情報に基づいて画像データの劣化の復元を行って第２の記録モードで適用された記録媒体に再記録することを可能とするための操作指示部と、
を具備する撮像装置。
【請求項８】
前記手ぶれ復元情報は前記時系列の手ぶれ検出信号である請求項７記載の撮像装置。
【請求項９】
前記手ぶれ復元情報は前記手ぶれ復元関数である請求項７記載の撮像装置。
【請求項１０】
適用された記録媒体に記録された画像ファイルを読み出して、画像ファイルの中の画像データを表示するための表示素子と、
前記操作指示部により第１の記録モードで記録された画像ファイルを第２の記録モードで記録するにあたり、読み出された第１の記録モードで記録された画像ファイルの中の画像データおよび手ぶれ復元情報に基づいて画像データの劣化の復元を行った画像データと、画像データの復元を行わない画像データとの両画像データを前記表示素子に表示するための表示コントローラと、
をさらに具備する請求項７乃至９記載の撮像装置。
【請求項１１】
光学系により形成された被写体像より画像データを得るための撮像部と、
当該撮像装置の手ぶれを検出するための手ぶれ検出部と、
前記撮像素子の露光期間中における前記手ぶれ検出部から出力される時系列の手ぶれ検出信号から手ぶれ復元関数を算出するための手ぶれ復元関数算出部と、
手ぶれ復元情報を記憶するための手ぶれ復元情報記憶部と、
前記手ぶれ復元関数算出部から出力される手ぶれ復元関数に基づいて手ぶれによる前記画像データの劣化を復元するための手ぶれ復元部と、
前記撮像部から得られた画像データであって上記手ぶれ復元部で手ぶれ復元処理を実行しない画像データを記憶保持するための画像データ記憶部と、
前記撮像部から得られた画像データであって上記手ぶれ復元部で手ぶれ復元処理を実行しない画像データを画像ファイルとして適用された記録媒体に記録するためのものであり、画像ファイルを適用された記録媒体に記録後に、前記手ぶれ復元処理を実行していない画像データと前記手ぶれ復元情報記録部に記憶されている手ぶれ復元情報とに基づいて、前記手ぶれ復元部で手ぶれ復元処理を行って適用された記録媒体に再記録することが可能である画像記録コントローラと、
前記画像記録コントローラにより画像データの手ぶれ復元処理を行って適用された記録媒体に再記録することを実行するための操作指示部と、
を具備する撮像装置。
【請求項１２】
光学系により形成された被写体像より画像データを得るための撮像部と、
当該撮像装置の手ぶれを検出するための手ぶれ検出部と、
前記撮像素子の露光期間中における前記手ぶれ検出部から出力される時系列の手ぶれ検
出信号から手ぶれ復元関数を算出するための手ぶれ復元関数算出部と、
前記手ぶれ復元関数算出部から出力される手ぶれ復元関数に基づいて手ぶれによる前記
画像データの劣化を復元するための手ぶれ復元部と、
前記撮像部から得られた画像データであって上記手ぶれ復元部で手ぶれ復元処理を実行
しない画像データを記憶保持するための画像データ記憶部と、
前記手ぶれ復元部により復元処理がなされた画像データを適用された記録媒体に記録す
るためのものであり、画像ファイルを適用された記録媒体に記録後に、前記画像データ記
憶部に記録された画像データにより手ぶれ復元処理を実行しない画像データを適用された
記録媒体に再記録することが可能である画像記録コントローラと、
前記画像記録コントローラにより手ぶれ復元処理を実行しない画像データを適用された
記録媒体に再記録することを実行するための操作指示部と、
を具備する撮像装置。
【手続補正２】
【補正対象書類名】明細書
【補正対象項目名】０００８
【補正方法】変更
【補正の内容】
【０００８】
つまり、請求項１に係る本発明によれば、光学系により形成された被写体像より画像データを得るための撮像部と、当該撮像装置の手ぶれを検出するための手ぶれ検出部と、前記撮像素子の露光期間中における前記手ぶれ検出部から出力される時系列の手ぶれ検出信号から手ぶれ復元関数を算出するための手ぶれ復元関数算出部と、前記手ぶれ復元関数算出部から出力される手ぶれ復元関数に基づいて手ぶれによる前記画像データの劣化を復元するための手ぶれ復元部と、前記撮像部から得られた画像データであって上記手ぶれ復元部で手ぶれ復元処理を実行しない画像データと該画像データに対応した手ぶれ復元情報とを適用された記録媒体に併せて記録する第１の記録モードと、前記手ぶれ復元部により手ぶれ復元処理がなされた画像データを適用された記録媒体に記録する第２の記録モードとを選択するための記録モード選択部と、前記記録モード選択部において選択された結果に応じて、第１の記録モードが選択された場合には第１の記録モードで適用された記録媒体に画像データの記録を行ない、第２の記録モードが選択された場合には第２の記録モードで適用された記録媒体に画像データの記録を行なうための画像記録コントローラと、を具備している。
【手続補正３】
【補正対象書類名】明細書
【補正対象項目名】００１４
【補正方法】変更
【補正の内容】
【００１４】
請求項７に係る本発明によれば、光学系により形成された被写体像より画像データを得るための撮像部と、当該撮像装置の手ぶれを検出するための手ぶれ検出部と、前記撮像素子の露光期間中における前記手ぶれ検出部から出力される時系列の手ぶれ検出信号から手ぶれ復元関数を算出するための手ぶれ復元関数算出部と、前記手ぶれ復元関数算出部から出力される手ぶれ復元関数に基づいて手ぶれによる前記画像データの劣化を復元するための手ぶれ復元部と、前記撮像部から得られた画像データであって上記手ぶれ復元部で手ぶれ復元処理を実行しない画像データと該画像データに対応した手ぶれ復元情報とを適用された記録媒体に併せて記録する第１の記録モードと、前記手ぶれ復元部により手ぶれ復元処理がなされた画像データを適用された記録媒体に記録する第２の記録モードとを選択するための記録モード選択部と、前記記録モード選択部において選択された結果に応じて、第１の記録モードが選択された場合には適用された記録媒体に第１の記録モードで画像データの記録を行ない、第２の記録モードが選択された場合には適用された記録媒体に第２の記録モードで画像データの記録を行なうための画像記録コントローラと、適用された記録媒体に記録された画像ファイルを読み出すための読み出し部と、前記読み出し部により読み出された画像ファイルに応じて、当該画像ファイルが上記第１の記録モードで記録された画像ファイルであるか否かを判定するための判定部と、前記判定部により読み出された画像ファイルが第１の記録モードで記録された画像ファイルである場合には、この読み出された画像ファイルの中の画像データおよび手ぶれ復元情報に基づいて画像データの劣化の復元を行って第２の記録モードで適用された記録媒体に再記録することを可能とするための操作指示部と、を具備している。
【手続補正４】
【補正対象書類名】明細書
【補正対象項目名】００１８
【補正方法】変更
【補正の内容】
【００１８】
請求項１１に係る本発明によれば、光学系により形成された被写体像より画像データを得るための撮像部と、当該撮像装置の手ぶれを検出するための手ぶれ検出部と、前記撮像素子の露光期間中における前記手ぶれ検出部から出力される時系列の手ぶれ検出信号から手ぶれ復元関数を算出するための手ぶれ復元関数算出部と、手ぶれ復元情報を記憶するための手ぶれ復元情報記憶部と、前記手ぶれ復元関数算出部から出力される手ぶれ復元関数に基づいて手ぶれによる前記画像データの劣化を復元するための手ぶれ復元部と、前記撮像部から得られた画像データであって上記手ぶれ復元部で手ぶれ復元処理を実行しない画像データを記憶保持するための画像データ記憶部と、前記撮像部から得られた画像データであって上記手ぶれ復元部で手ぶれ復元処理を実行しない画像データを画像ファイルとして適用された記録媒体に記録するためのものであり、画像ファイルを適用された記録媒体に記録後に、前記手ぶれ復元処理を実行していない画像データと前記手ぶれ復元情報記録部に記憶されている手ぶれ復元情報とに基づいて、前記手ぶれ復元部で手ぶれ復元処理を行って適用された記録媒体に再記録することが可能である画像記録コントローラと、前記画像記録コントローラにより画像データの手ぶれ復元処理を行って適用された記録媒体に再記録することを実行するための操作指示部と、を具備している。
【手続補正５】
【補正対象書類名】明細書
【補正対象項目名】００１９
【補正方法】変更
【補正の内容】
【００１９】
請求項１２に係る本発明によれば、光学系により形成された被写体像より画像データを得るための撮像部と、当該撮像装置の手ぶれを検出するための手ぶれ検出部と、前記撮像素子の露光期間中における前記手ぶれ検出部から出力される時系列の手ぶれ検出信号から手ぶれ復元関数を算出するための手ぶれ復元関数算出部と、前記手ぶれ復元関数算出部から出力される手ぶれ復元関数に基づいて手ぶれによる前記画像データの劣化を復元するための手ぶれ復元部と、前記撮像部から得られた画像データであって上記手ぶれ復元部で手ぶれ復元処理を実行しない画像データを記憶保持するための画像データ記憶部と、前記手ぶれ復元部により復元処理がなされた画像データを適用された記録媒体に記録するためのものであり、画像ファイルを適用された記録媒体に記録後に、前記画像データ記憶部に記録された画像データにより手ぶれ復元処理を実行しない画像データを適用された記録媒体に再記録することが可能である画像記録コントローラと、前記画像記録コントローラにより手ぶれ復元処理を実行しない画像データを適用された記録媒体に再記録することを実行するための操作指示部と、を具備している。